(57)【特許請求の範囲】
【請求項１】
片方に膨出する膨出部とその一端側が板状に延出する挟持片とからなる一対の固定片を、膨出部が外側に向くように配置させて内側に棒状部材を収納できる収納空間を形成すると共に、一対の挟持片がシートを挟持するように開放位置から挟持位置まで開閉自在となるように他端側の接合部で接合一体化されている固定具を用いて棒状部材にシート端部を固定する方法であって、シート端部を棒状部材に巻きつけて折り返すと共に、固定具の一対の膨出部が形成する収納空間に前記棒状部材を当該棒状部材に巻き付けたシート全体が膨出部の内側に密着するように収納すると共に、シートの重複部を固定具の一対の挟持片で表裏から挟持して固定し、固定具を覆うようにして固定金具で固定具の挟持部を固定することを特徴とする棒状部材にシート端部を固定する固定方法。
【発明の詳細な説明】
【技術分野】
【０００１】
本発明は、織物等の柔軟性のあるシートの端部に棒状部材を固定するための固定具を用いた固定方法に関するものである。
【背景技術】
【０００２】
古来より、暑い夏場を快適に暮らすための先人の知恵として、家屋の軒先からすだれを吊るしたり、壁面によしずやたてすを立て掛けたりして、直射日光を遮り風通しを良くする方法が用いられてきた。最近では、エアコンが普及してきたものの、窓ガラスから室内に日光が差し込むことで室温が上昇し、エアコンの冷房能力が不足したり、電力消費が増えるという問題が生じるため、窓際で直射日光を遮ることのできるこれらの日よけ類も見直されてきているが、天然材料のために耐久性に劣るという問題があった。
【０００３】
それに対して、近年では、耐久性の高い工業製品である織物等のシートを用いたオーニング、シェード、洋風たてす、洋風すだれ、ロールスクリーン等が用いられるようになっており、通気性の良い織物を用いることで風通しを良くし、遮光性や遮熱性の高い繊維等を用いることで、さらに、室内への熱の侵入を防止することもできる。
【０００４】
また、これらの工業製品は家屋の壁面だけでなく、金属製屋根を用いた工場の屋根上やカーポートに用いることもでき、炎天下での工場内や車内の温度上昇が防止できる。また、エアコンはヒートポンプの原理により、室内の熱を冷媒を介して外部に放出するため、室外機に直射日光が当たり温度が上昇すると冷房効率が低下して、より多くの電力を消費するので、最近では、冷房機能の向上を図るために、エアコン用の日よけとして使用されるようになった。  
【０００５】
しかし、これらのシートはすだれやよしず等とは異なり、柔軟性があるために、畳んだり巻き上げたりすることができ、曲線部分でも容易に沿わせることができる反面、それ自体では自立することができない。そこで、特許文献１には、遮光性幕体を自立する支柱に取り付けた洋風たてすが開示されている。これを庇状に飛び出した天井と床の間に突っ張らせて立て掛けることで日よけ効果が得られる。
【０００６】
特許文献２に示すロールスクリーンでは、スクリーンの下縁に係止材を介してウェイトバーを設けることで、布が真直ぐに張られた状態で吊るすことができる。さらに、特許文献３では、エアコン室外機に直射日光が当たらないように天井部分を覆う日よけとして、シートの両端を支持杆で引っ張り、日よけの屋根を形成する。
【先行技術文献】
【特許文献】
【０００７】
【特許文献１】特開２００７−９６５６号公報
【特許文献２】実開平５−７１３９９号公報
【特許文献３】特開２０１４−５９１３２号公報
【発明の概要】
【発明が解決しようとする課題】
【０００８】
これらのシートを支柱等の棒状部材に固定する方法としては、例えば、特許文献３の図８に記載されているように、シートの上下端を筒状に折り曲げてかつ折り曲げ部を縫製して筒状部を形成し、パイプ部材（棒状部材）を筒状部に挿通することにより行われているが、日除け屋根の出に合わせて現場でシートを所要の寸法に切断し、切断端面を筒状に折り曲げて縫製し棒状部材に固定する場合、縫製に手間がかかると共に、手縫で精度よく強固に縫製するには、熟練した技術が必要となり、容易に実施することができない。
【０００９】
本発明は斯かる点に鑑みてなされたものであり、その目的は、柔軟性のあるシートに簡単かつ強固に棒状部材を固定するために用いる固定具とそれを用いた固定方法を提供することにある。
【課題を解決するための手段】
【００１０】
上記の目的の達成のため、請求項１に記載の発明による棒状部材にシート端部を固定するための固定具を用いた固定方法は、片方に膨出する膨出部とその一端側が板状に延出する挟持片とからなる一対の固定片を、膨出部が外側に向くように配置させて内側に棒状部材を収納できる収納空間を形成すると共に、一対の挟持片がシートを挟持するように開放位置から挟持位置まで開閉自在となるように他端側の接合部で接合一体化されている固定具を用いて棒状部材にシート端部を固定する方法であって、シート端部を棒状部材に巻きつけて折り返すと共に、固定具の一対の膨出部が形成する収納空間に前記棒状部材を当該棒状部材に巻き付けたシート全体が膨出部の内側に密着するように収納すると共に、シートの重複部を固定具の一対の挟持片で表裏から挟持して固定し、固定具を覆うようにして固定金具で固定具の挟持部を固定することを特徴とする。  
【発明の効果】
【００１１】
本発明によれば、棒状部材にシート端部を固定する固定具は、片方に膨出する膨出部とその一端側が板状に延出する挟持片とからなる一対の固定片を、膨出部が外側に向くように配置させて内側に棒状部材を収納できる収納空間を形成すると共に、一対の挟持片が棒状部材に巻き付けたシートの重複部を挟持するように開放位置から挟持位置まで開閉自在となるように他端側の接合部が接合一体化されているので、収納空間に棒状部材を容易に収納することができる。
【００１２】
また、この固定具を用いた固定方法によると、棒状部材に巻きつけられたシート全体を膨出部の内側に密着させると共に、シート端部を棒状部材に巻きつけて折り返して得られるシートの重複部を、前記固定具の一対の挟持片で表裏から挟持することにより、現場での縫製作業も不要で棒状部材にシート端部を容易に固定することができると共に、シートを傷つけることなく棒状部材とシートの解体も容易に行うことができ、再利用することができる。
【００１３】
さらに、固定具を覆うようにして固定金具で挟持部を固定することにより、棒状部材にシート端部を確実かつ強固に固定でき、また容易に取り外すことができ、シートに孔を開ける等傷つけることもないので、再利用することができる。
【図面の簡単な説明】
【００１４】
【図１】固定具の側面図である。
【図２】（Ａ）固定具が閉じた状態（Ｂ）固定具が開いた状態
【図３】固定具の斜視図
【図４】金具の斜視図
【図５】シート端部を棒状部材に固定した状態を示す斜視図
【図６】シート端部を棒状部材に固定した状態を示す側面図
【発明を実施するための形態】
【００１５】
以下、本発明の実施形態を図面に基づいて詳細に説明する。以下の実施形態の説明は、本質的に例示に過ぎず、本発明、その適用物或いはその用途を制限することを意図するものでは全くない。
【００１６】
図１は本発明の固定具の側面図で、図３は斜視図を示す。固定具１は、樹脂または金属からなり、例えばポリカーボネイトで成形されている。
【００１７】
固定具１は、構造的に片方に膨出する膨出部１２とその一端側が板状に延出する挟持片１３とからなる固定片１１を二つ一対にして、膨出部が外側に向くように配置させると共に、他端側の接合部１４が接合された状態で一体化されている。これによって、内部に棒状部材３を収納できる収納空間１５が形成される。
【００１８】
また、図２に示すように固定具１は接合部１４により、（ａ）の閉じた状態と（ｂ）の開いた状態との間で、自在に開閉することができるので、棒状部材３を収納空間１５に出し入れすることができる。この例では、接合部１４の外側に溝を設けて他の部分よりも細くして折曲がりやすくしているが、例えば、接合部１４のみを軟質樹脂にして柔軟性をもたせることもできる。
【００１９】
図４は本発明の固定金具４の斜視図を示す。固定金具４は、樹脂または金属からなり、例えばステンレス鋼で成形されており、固定具１の上から外嵌し固定具１を介してシート２を棒状部材３に固定するものである。固定金具４は、基本的に固定具１と同様の構造を有しており、膨出押さえ部４２と挟持片押さえ部４３と金具結合部１４からなる固定金具片４１を二つ一対にして、結合部４４を例えばボルトナット等で固定する。また、固定方法はこれに限らず、金具結合部４４をばねで結合したり、弾性のある材料で二つの固定金具片４１を一体的に形成することで、挟持片押さえ部４３が閉じ方向に付勢力を有して挟持片１３を押さえる。図４に示されるように、固定金具片４１には強化突部４５が外側に向かって設けられ、固定金具片４１が変形しないように配慮しているので、固定具１を介して棒状部材にシート端部を確実かつ強固に固定することができる。
【００２０】
次に、これらの部品を用いて日よけのスクリーン（シート）にウェイトバー（棒状部材）を固定する方法を説明する。
【００２１】
図５はシート端部を棒状部材に固定した状態を示す斜視図、図６は側面図である。
幅３０ｃｍ程度から１８０ｃｍの所定幅のシート２の端部を棒状部材３に巻きつけて折り返し、奥行き約数ｃｍの重複部２１を設け、固定具１の挟持片１３を開放して収納空間１５にシート２を巻きつけた棒状部材３を嵌め込んで、挟持片１３を閉じてシートの重複部２１を表裏両面から挟持する。さらに、固定金具４をその上から嵌め込み金具結合部４４をボルトナットで締結することで、挟持片押さえ部４３で挟持片１３を押さえて、シートの重複部２１が動かないように固定する。
【００２２】
この方法によれば、重複部２１を縫製する必要がなく、手間なく誰でも簡単にシート端部の処理をしてシート端部に棒状部材を固定できると共に、解体することも容易に行える。また、重複部２１を寸法の調整代としてあるていど余裕を持たせておけば、シートに孔を開ける等傷つけることもない工法なので、シート長さの若干の寸法調整等のように部材の再利用も容易に行える。
【００２３】
さらに、シートとして通気性を良くするために目の粗い織物を用いた場合の端部からのほつれを防止することができるので、シートをピント張った状態を保持できる。なお、ここでは、シートの一端側のみ棒状部材との固定方法を説明したが、もう一端側についても棒状部材とシートの固定は全く同様なので説明を省略する。
【００２４】
固定具１は、適宜必要な位置に設ければ良く、シート２の幅寸法にもよるが、両端部と中央部の適宜位置にシートが浮き上がらない程度（数十ｃｍ間隔）に設ければ良い。本発明の場合は固定具１の幅寸法が約３０ｃｍとなっているが、樹脂の押し出し成形で長い部材を製造し適宜寸法に切断して使用することもできる。シート２の幅は、棒状部材３の長さと同等でも良いし、シート幅を狭くして複数枚を棒状部材に固定することもできる。特に、日よけ等の屋外設置時には、風によるアオリなどに対応するためにシート幅を３０ｃｍ程度とする事で、強風によりあおられた場合でも、固定具が外れる危険性も低くすることができる。例えば、長さ１８０ｃｍの棒状部材３に幅３０ｃｍのシート２を６枚取り付けてもよい。
【００２５】
なお、固定金具４を用いずに、例えば、固定具１の挟持片１３を直接ボルトナットで締結することもできるが、この場合は、シートの一部にボルト等を通す孔を開けなければならないので、シート２と棒状部材３を解体して再利用することは難しい。また、再利用を考えないのであれば、固定具１とシート２を接着することも可能である。
【産業上の利用可能性】
【００２６】
本発明は、取り付け取り外しが容易にできる固定具を用いて棒状部材のシート端部を固定し固定具を覆うようにして固定金具で固定具の挟持部を固定することができ、どのようなシートでも適用できるので、極めて有用で産業上の利用可能性が高い。
【符号の説明】
【００２７】
１    固定具
１１  固定片
１２  膨出部
１３  挟持片
１４  接合部
２    シート
２１  重複部
３    棒状部材
４    固定金具
４１  固定金具片
４２  膨出押さえ部
４３  挟持片押さえ部
４４  金具結合部４４
【図１】
0006384420.tif 000002
【図２】
0006384420.tif 000003
【図３】
0006384420.tif 000004
【図４】
0006384420.tif 000005
【図５】
0006384420.tif 000006
【図６】
0006384420.tif 000007